(57)【特許請求の範囲】
【請求項１】
水平部と垂直部を有し、そして浴槽の側壁へ配置される固定フレームと、
水平部分と、掛け孔および貫通孔を備えた垂直部分を有し、そして前記固定フレームの水平部へ取り付けられる可動フレームと、
前記可動フレームへ取り付けられる押圧板と、そして
ホックおよび連結孔を有し、そして前記ホックを、前記可動フレームの、前記押圧板が取り付けられている側の反対側から前記掛け孔に係合させた後、連結部材を、前記可動フレームの、前記押圧板が取り付けられている側から前記貫通孔に挿通して前記連結孔へ固定することにより、前記可動フレームの垂直部分へ着脱自在に取り付けられるグリップとからなり、
前記貫通孔の開口面は、前記可動フレームの垂直部分へ投影される前記押圧板の投影領域の外郭から外側へ外れた位置に配置されており、そして
前記掛け孔の開口面は、前記可動フレームの垂直部分へ投影される前記押圧板の投影領域の外郭から内側の重なり合う位置に配置されていることを特徴とする浴槽用手摺り。
【請求項２】
前記掛け孔は、前記貫通孔より上側に配置されていることを特徴とする請求項１に記載の浴槽用手摺り。
【請求項３】
前記ホックは、鉤状であることを特徴とする請求項１又は２に記載の浴槽用手摺り。
【請求項４】
前記ホックは、外側表面にコーナー部を有し、前記コーナー部は曲面で構成されているか若しくは面取りされていることを特徴とする請求項３に記載の浴槽用手摺り。
【請求項５】
前記掛け孔は、前記ホックと略同一幅のスリットを含んでいることを特徴とする請求項３又は４に記載の浴槽用手摺り。
【請求項６】
前記掛け孔は、前記スリットと連結し且つ前記ホックより幅広の挿入開口をさらに含んでいることを特徴とする請求項５に記載の浴槽用手摺り。
【請求項７】
前記ホックは、ギボシ状であることを特徴とする請求項１又は２に記載の浴槽用手摺り。
【請求項８】
前記掛け孔は、前記ホックの外径より大きな挿入開口と、前記挿入開口から延びた、前記ホックのネック部と略同一幅のスリットを含んでいることを特徴とする請求項７に記載の浴槽用手摺り。
【請求項９】
前記連結孔はネジ孔であり、前記連結部材はネジである請求項１に記載の浴槽用手摺り。
【発明の詳細な説明】
【技術分野】
【０００１】
本発明は、浴槽の側壁へ着脱自在に取り付けられる浴槽用手摺りに関し、特に浴槽側に配置されるグリップであって、他の部品を取り外すことなく、美観を損なわず、簡単に浴槽用手摺りの可動フレームに対し取り付け及び／又は取り外しが可能化されたグリップに関する。
【背景技術】
【０００２】
従来より、例えば特開２０１１−１８９０６９号公報（特許文献１）および実用新案登録第３１０３４１７号公報（特許文献２）等に記載されているように、高齢者等が浴槽に出入りする際に身体を容易に支持することができるように、浴槽の側壁へグリップを備えた浴槽用手摺りを着脱自在に装着することが知られている。そのため、一般的な浴槽用手摺りは、主に浴槽への出入りを補助するために浴槽側壁の上方に配置される上部グリップと、浴槽からの出浴を補助するために浴槽側（浴槽内）に配置される側部グリップを備えている。
【０００３】
ところが、主として浴槽から出る時にしか使用されない側部グリップの必要性は、浴槽用手摺りによる支持を必要とする使用者の体力などによっても異なってくる。特に、手摺りが取り付けられた浴槽は、手摺りによる補助を必要としない他の家族も一緒に使用するため、家族が独自に手摺りを分解して、浴槽内に配置された側部グリップを手摺り本体から取り外してから使用するケースもある。
【０００４】
しかしながら、グリップは浴槽用手摺りの中でも極めて重要な安全部品の１つであるため、一般に市販されている浴槽用手摺りでは、グリップを手摺り本体から取り外して使用することが予定されていない。このため、例えば、側部グリップを手摺り本体から取り外そうとした時、側部グリップが強固に取り付けられていたり、他の部品を取り外さなければ側部グリップを取り外すことができないなど、手摺り本体から簡単に取り外すことができないという問題がある。
【０００５】
例えば、特許文献１に記載の浴槽用手摺りは、上部グリップおよび押圧板を備えており、且つ浴槽側壁の上面および側面に対向するように配置される略Ｌ字型の固定フレームと、側部グリップおよび押圧板を備えており、且つ浴槽側壁の反対側の側面に配置されそして固定フレームの水平部分にスライド可能に取り付けられる略Ｌ字型の可動フレームから構成されている。そして、Ｃ型形状をした側部グリップは、側部グリップの上部と下部を可動フレームの裏側からそれぞれネジ止めすることによって可動フレームの垂直部分へ固定されており、そしてネジを止めされている側の可動フレームの垂直部分には、その略全体領域を覆うように押圧板が取り付けられている。
【０００６】
このため、特許文献１に記載の浴槽用手摺りでは、側部グリップを可動フレームへ取り付け又は可動フレームから取り外そうとすると、押圧板が取り付けられている側から、押圧板に覆われている、可動フレームの垂直部分の上部及び下部に配置された２つの固定ネジへアクセスしなければならない。そのため、特許文献１に記載の浴槽用手摺りでは、側部グリップを取り外すために、可動フレームの垂直部分に取り付けられている押圧板を一度取り外さなければならず、手間が掛かる問題があった。
【０００７】
また、このような問題に対処する方法として、押圧板の縦方向の長さを、側部グリップの２つの固定ネジの間の距離より短くすることにより、押圧板の上方領域及び下方領域に、可動フレームの垂直部分の上部及び下部に配置された固定ネジへアクセスするための取り付けスペースを設けることが考えられる。しかしながら、上述の対処方法では、所望する摩擦力を得るために必要な押圧板の面積が得られず、浴槽用手摺りを浴槽の側壁へ確実に固定することができなくなるという不都合を招くという問題がある。
【０００８】
さらに、他の対処方法としては、可動フレームの垂直部分の上部の長さ及び下部の長さを延長することにより、可動フレームの垂直部分の上部及び下部に、可動フレームの垂直部分の上部及び下部に配置された固定ネジへアクセスするための取り付けスペースを設けることも考えられる。しかしながら、この対処法では、上部及び下部が延ばされた可動フレームの垂直部分の長さと、これに対応して延ばされた側部グリップの縦方向の長さが長尺化してしまう結果、全体としても浴槽用手摺りが大型化してしまうという問題があった。
【０００９】
一方、特許文献２に記載の浴槽用手摺りは、上部グリップおよび側部グリップを備えており、且つ浴槽側壁の上面およびを両側面に対向するように配置される略コの字型の枠体と、枠体の側部と対向するように配置され、枠体にスライド可能に取り付けられている狭持板から構成されている。そして、特許文献２の浴槽用手摺りでは、D型形状をした側部グリップは、枠体の側部と接する部分の中心付近を、側部グリップが取り付けられている側からネジ止めすることにより、枠体の側部に対し着脱自在に取り付けられている。このため、特許文献２に記載の側部グリップは、側部グリップの握り側（表側）に設けられた貫通孔にドライバーを通し、貫通孔内の配置された固定ネジへ直接アクセスすることより着脱される。
【００１０】
このように、側部グリップの握り側（表側）から側部グリップの固定ネジへ直接アクセスできるようにすると、狭持板の形状や狭持板の有無などに影響されることなく、側部グリップを容易に浴槽用手摺りの枠体へ着脱することができるようになる。しかしながら、この場合、固定ネジへのアクセスを可能にするために、把手表面へネジ孔やドライバーを通すための貫通孔を設けなければならず、側部グリップの外観を損なうと共に、孔の配設により、側部グリップの実質的な強度を低下させるという問題があった。
【先行技術文献】
【特許文献】
【００１１】
【特許文献１】特開２０１１−１８９０６９号公報
【特許文献２】実用新案登録第３１０３４１７号公報
【発明の概要】
【発明が解決しようとする課題】
【００１２】
そこで、本発明は、浴槽側壁へ配置される固定フレームと、固定フレームへスライド可能に取り付けられている可動フレームからなる浴槽用手摺りにおいて、浴槽用手摺りの大型化を極力抑制しながら、把手部分の強度を確保する目的で、側部グリップは可動フレームの裏側からネジなどの係止手段を使って可動フレームの垂直部分へ固定するものであるが、側部グリップの取り付け取り外しは、押圧板と干渉することなく容易に行うことができる浴槽用手摺りを提供することを目的とする。
【課題を解決するための手段】
【００１３】
本発明者等は、上記の目的を達成するため、可動フレームの垂直部分への側部グリップの取り付け位置、取り付け構造、そして押圧板と側部グリップ及び可動フレームとの相対的な位置関係などについて鋭意検討を重ねた結果、側部グリップを可動フレームの垂直部分へ固定するための一方の係止手段はホックと掛け孔との組合せとし、側部グリップを可動フレームの垂直部分へ固定するための他方の係止手段はネジなどの連結部材とネジ孔などの連結孔と、そして可動フレームに設けたネジなどの連結部材を通すための貫通孔との組合せとし、そして前記２つの異なる係止手段の組合せのうち、ネジなどの連結部材を通すための貫通孔のみを、押圧板に覆われ押圧板の背後に隠されることがないように配置することで上述の目的を達成し、本発明を完成するに至った。
【００１４】
すなわち、本発明によれば、水平部と垂直部を有し、そして浴槽の側壁へ配置される固定フレームと、水平部分と、掛け孔および貫通孔を備えた垂直部分を有し、そして前記固定フレームの水平部へ取り付けられる可動フレームと、前記可動フレームへ取り付けられる押圧板と、そしてホックおよび連結孔を有し、そして前記ホックを前記掛け孔に係合させた後、連結部材を前記貫通孔に挿通して前記連結孔へ固定することにより前記可動フレームの垂直部分へ着脱自在に取り付けられるグリップとからなり、前記貫通孔の開口面は、前記可動フレームの垂直部分へ投影される前記押圧板の投影領域の外郭から外側へ外れた位置に配置されていることを特徴とする浴槽用手摺りが提供される。
【００１５】
本発明では、側部グリップ（以下、単に「グリップ」と呼ぶ場合もある）は、グリップを可動フレームの垂直部分へ取り付けた時の取り付け強度、安定性、確実性を考慮して、ホックにより可動フレームの垂直部分へ係合させる部分と、連結部材により可動フレームの垂直部分へ固定する連結孔を備えた部分との少なくとも２箇所の取り付け部分を含んでいる。
【００１６】
なお、本発明において、連結部材と連結孔との組合せはネジとネジ孔との組合せに限定されるものではなく、例えば、取り付け及び取り外し可能なピンとピンの挿通孔など公知の連結部材と連結孔との組合せであってよい。
【００１７】
また、本発明において、固定フレームおよび可動フレームの「垂直部分」とは、浴槽側壁の側面と対向して配置される部分を意味するものとして用いられており、「水平部分」とは浴槽側壁の上面に対向して配置される部分を意味するものとして用いられている。
【００１８】
本発明では、グリップを固定するための一方の係止手段であるホックは、鉤状またはギボシ状のホックを使用することができる。ここで「鉤状」とは、目的物へ引っ掛けるために先端部分が曲げられた形状を意味し、「ギボシ状」とは、橋の欄干の柱頭部を飾る宝珠のように、円筒形の頭部と、頭部より小さな径を有するネック部を備えた形状を意味する。
【００１９】
ホックの形状が鉤状である場合、ホックの先端部分はスリットからなる掛け孔の端部に引っ掛かるように曲げられているので、掛け孔は、鉤状ホックと略同一幅のスリットを備えていることが好ましい。
【００２０】
そして、掛け孔が鉤状ホックと略同一幅のスリットを備えることにより、鉤状ホックは、鉤状ホックを掛け孔のスリットへ挿入しそしてスリットの端部へ移動させることにより、掛け孔と容易且つ確実に係合される。このため、鉤状ホックを備えたグリップの一の端は、左右のガタ付きが抑えられながら、掛け孔が形成された可動フレームの垂直部分へ容易且つ確実に固定される。また、鉤状ホックと略同一幅のスリットは細長形状であるため、使用者が指などを掛け孔に挟み込む危険を排除する。なお、本願明細書で使用するところの「係合する」とは、ホックが、掛け孔から引き抜くことが不可能な状態に保持されることを意味する。
【００２１】
また、掛け孔は、外部よりホックを受け入れ、そしてホックと係合するという２つの役目を果たすものであるから、ホックと係合するために設けられた鉤状ホックと略同一幅のスリットに加えて、さらに外部よりホックを受け入れ易くするために、スリットと連結し且つホックより幅広の挿入開口を含んでいることが好ましい。
【００２２】
さらに、ホックの形状が鉤状である場合、ホックは曲げられているコーナー部を有し、コーナー部は内側表面（内形）と外側表面（外形）とを備える。ホックのコーナー部の内側表面は掛け孔の端部へ係合させるためのものであるから、その形状は角形に曲げられていることが好ましい。一方、これに対しコーナー部の外側表面は掛け孔と係合させるためのものではなく、掛け孔と干渉した時でも円滑に掛け孔の中へ案内されなければならないものであるため、ホックのコーナー部の外側表面は曲面で構成されているか若しくは面取りされていることが好ましい。
【００２３】
ホックの形状がギボシ状である場合、掛け孔は、ギボシ状のホックの頭部を受け入れるためにホックの頭部の外径より大きな挿入開口を備えている必要がある。一方、ギボシ状のホックは、ホックの頭部の外径より小さな径のネック部を含んでおり、ネック部を、ネック部と略同一幅のスリットの間に挿入することにより掛け孔と係合される。このため、ホックの形状がギボシ状である場合の掛け孔は、ホックの形状が鉤状である場合と異なり、ホックの頭部の外径より大きな挿入開口と、挿入開口から延びたホックのネック部と略同一幅のスリットを含んでいることが好ましい。
【００２４】
一方、本発明では、グリップは、ホックとは異なる他方の係止手段として、ホックから離れた位置に、ネジなどの連結部材によりグリップを可動フレームに固定するためのネジ孔などの連結孔を含んでいる。このため、可動フレームの垂直部分には、グリップの取り付け部分に対応して、掛け孔と、掛け孔から離れた位置に、ネジなどの連結部材を通してグリップを可動フレームへ固定するための貫通孔が設けられている。また、可動フレームの垂直部分には、浴槽用手摺りを浴槽側壁へ固定するための押圧板が取り付けられている。
【００２５】
しかしながら、本発明では、可動フレームに設けられた貫通孔の開口面は、可動フレームの垂直部分へ投影される押圧板の投影領域の外郭から外側へ外れた位置に配置される。したがって、グリップを可動フレームに取り付ける時、可動フレームの貫通孔と整合させなければならないグリップに設けられた連結孔の開口面も、可動フレームの垂直部分へ投影される押圧板の投影領域の外郭から外側へ外れた位置に配置される。
【００２６】
このため、本発明の浴槽用手摺りでは、グリップを可動フレームに対し取り付け及び／又は取り外す時、押圧板が取り付けられている側から、押圧板と干渉することなく、グリップを取り付け及び／又は取り外すために連結部材へ容易にアクセスすることができる。したがって、グリップの着脱時、可動フレームに取り付けられている押圧板を取り外す必要がない。
【００２７】
すなわち、本発明の浴槽用手摺りは、グリップを可動フレームの垂直部分へ固定するための一方の係止手段として、スライドさせることにより係合可能となるホックを採用し、ホックから離れた位置には、他方の係止手段として、グリップを可動フレームに対して移動不可能に固定するネジ止め機構などの連結機構を採用している。
【００２８】
このため、グリップの一方の取り付け部分は、押圧板の大きさや取り付け位置とは関係なく、押圧板が取り付けられている側の反対側からグリップのホックを可動フレームの掛け孔の中に挿入しスライドさせることにより、直接可動フレームの垂直部分に係合させることができる。一方、グリップの他方の取り付け部分は、押圧板が取り付けられている側から、押圧板と干渉することなく、連結部材により可動フレームの垂直部分に固定することができる。グリップを連結部材により固定した時、ホックは掛け孔と係合した位置から移動することができなくなるので、本発明の浴槽用手摺は、グリップの他方の取り付け部分のみを可動フレームへ固定すれば、グリップ全体を可動フレームに確実かつ強固に固定することができる。
【００２９】
このように、本発明では、１つのグリップの中で、ホックと掛け孔という一の係止手段と、ネジなどの連結部材とネジ孔などの連結孔という、一の係止手段とは異なる他の係止手段を採用しているので、可動フレームの掛け孔は、可動フレームの垂直部分へ投影される押圧板の投影領域の外郭から内側の重なり合う位置、すなわち押圧板の背後の位置に配置してもよく、他方の可動フレーム上の連結部材を通すための貫通孔の開口部のみを、可動フレームの垂直部分へ投影される押圧板の投影領域の外郭から外側の位置、すなわち押圧板の背後から外れた位置に配置すればよい。
【００３０】
このため、本発明の浴槽用手摺りでは、グリップを固定するための連結部材と押圧板との干渉を避けるために、押圧板の縦方向の長さを必要以上に短くしたり、又は可動フレームの垂直部分の長さを必要以上に長くする必要がなくなる。特に、掛け孔の開口面を押圧板の投影領域の外郭から内側へ重なり合う位置に配置した場合は、押圧板の上辺を可動フレームの水平部分直下まで近づけることができ、その結果、ネジなどの連結部材へのアクセスを可能にするための配置は可動フレームの垂直部分の下部のみの延長を考慮して設計すれば達成されるので、可動フレームの不必要な長尺化を抑えることができ、全体としても浴槽用手摺りをコンパクトに設計できるという利点がある。
【００３１】
また、本発明の浴槽用手摺りでは、グリップの連結孔は、押圧板が取り付けられている側からアクセスできるように配置されるため、グリップは、可動フレームとの取り付け面以外に露出する開口部を設ける必要がなくなり、その結果、グリップの外観を損なったり、余分な孔の配設によりグリップの実質的な強度低下を招くという不都合が回避される。
【００３２】
なお、本発明において、連結部材を通すための貫通孔の開口部は、厳密な意味で開口部の全部が押圧板の投影領域の外郭から外側の位置に配置されている必要はなく、開口部の一部が押圧板の投影領域の外郭から外側の位置に配置されていればよい。一般に押圧板は、自在に首振を振ることができるように可動フレームから一定の間隔を開けて配置されるので、貫通孔の開口部の少なくとも一部が押圧板の投影領域の外郭から外側の位置に外れていれば、連結部材を固定するための工具の多くは、例えばネジを固定するドライバーのように連結部材の軸に対し僅かに傾斜させることにより、押圧板と干渉することなく十分に連結部材へアクセスすることができるからである。
【００３３】
また、掛け孔は、同じ可動フレームの中で貫通孔より上側に配置されていることが好ましい。この配置であると、グリップを可動フレームに対し取り付け及び／又は取り外す時、グリップは、連結部材を外した状態においてもホックと掛け孔が係合することにより、可動フレーム上から脱落することなく仮止めされた状態を保持することができ、グリップの着脱が極めて容易になるからである。
【発明の効果】
【００３４】
本発明によれば、浴槽側壁へ配置される固定フレームと、固定フレームへスライド可能に取り付けられている可動フレームからなる浴槽用手摺りにおいて、浴槽用手摺りの大型化を極力抑制しながら、把手部分の強度を確保する目的で、グリップの固定は可動フレームの裏側からネジなどの係止手段を使って可動フレームの垂直部分へ固定するものであるが、グリップの取り付け取り外しは、押圧板と干渉することなく容易に行うことができる浴槽用手摺りが提供される。
【００３５】
また、本発明によれば、グリップのネジ孔などの連結孔は、押圧板が取り付けられている側からアクセスできるように配置されるため、グリップは、可動フレームとの取り付け面以外に露出する開口部を設ける必要がなくなり、その結果、グリップの外観を損なったり、余分な孔の配設によりグリップの実質的な強度低下を招くという不都合が回避される。
【図面の簡単な説明】
【００３６】
【図１】本発明の浴槽用手摺りの概要図である。
【図２】図１に示される浴槽用手摺りの断面図である。
【図３】鉤状ホックを備えたグリップの概要図（ａ）および鉤状ホックの部分的拡大図（ｂ）である。
【図４】鉤状ホックと係合する掛け孔を備えた可動フレームの概要図（ａ）および前記掛け孔の部分的拡大図（ｂ）である。
【図５】ギボシ状ホックを備えたグリップの概要図（ａ）およびギボシ状ホックの部分的拡大図（ｂ）である。
【図６】ギボシ状ホックと係合する掛け孔を備えた可動フレームの概要図（ａ）および前記掛け孔の部分的拡大図（ｂ）である。
【発明を実施するための形態】
【００３７】
以下、本発明の一実施形態に係る浴槽用手摺りについて、図面を参照しながら詳細に説明する。なお、本発明は、以下に示される実施例に限定されるものではなく、本発明の技術的思想を逸脱しない範囲内で各種の変更が可能である。
【実施例】
【００３８】
図１及び図２を用いて、本実施例の浴槽用手摺りの主な構成を説明する。図１は、本発明の一実施形態に係る浴槽用手摺り１の全体を示しており、図２は、図１に示される浴槽用手摺り１の断面を示している。
【００３９】
図１及び図２を参照して理解されるように、本実施例の浴槽用手摺り１は、水平部２１と垂直部２２を有し、且つ浴槽の側壁（図示せず）へ配置される略Ｌ字型の固定フレーム２と、水平部分３１と垂直部分３２を有し、且つ固定フレーム２の水平部２１へ取り付けられる略Ｌ字型の可動フレーム３とから構成されている。
【００４０】
また、本実施例の浴槽用手摺り１は、手摺り１を浴槽側壁に固定するため、浴槽側壁を洗い場側から挟み込むための第１の押圧板２３と、第１の押圧板２３と対向し、そして浴槽側壁を浴槽側から挟み込むための第２の押圧板３３を備えている。第１の押圧板２３は、ボルトおよびナット機構を介して螺進退可能に固定フレーム２の垂直部２２へ取り付けられており、また第２の押圧板３３は、スペーサー３３１を介して可動フレーム３の垂直部分３２へネジ止めされている。
【００４１】
さらに、本実施例の浴槽用手摺り１は、主に浴槽への出入りを補助するために浴槽側壁の上方に配置される上部グリップ４と、浴槽からの出浴を補助するために浴槽側（浴槽内）に配置される側部グリップ５を備えている。上部グリップ４は、固定フレーム２へ昇降可能に取り付けられており、側部グリップ５は、可動フレーム３へ着脱可能に取り付けられている。
【００４２】
以下に、本実施例における側部グリップ５の取り付け構造について詳しく説明する。
【００４３】
図２を参照して理解されるように、側部グリップ５には、側部グリップ５を可動フレーム３の垂直部分３２へ取り付けた時の取り付け強度、安定性、確実性を考慮して、側部グリップ５を可動フレーム３へ固定するためのホック５１と、ホック５１から離間した位置にネジ孔５２が配設されている。
【００４４】
一方、側部グリップ５を固定する可動フレーム３の垂直部分３２には、側部グリップ５のホック５１を受け入れ係合させるための掛け穴３４と、ネジ５３により側部グリップ５を可動フレーム３へ固定するための貫通孔３５が形成されている。また、掛け穴３４と貫通孔３５の間には、取付けネジ５４により第２の押圧板３３を可動フレーム３へ取り付けるための取付け孔３６が形成されている。
【００４５】
そして、本実施例の浴槽用手摺り１では、可動フレーム３の貫通孔３５の開口面は、可動フレーム３の垂直部分３２へ投影される第２の押圧板３３の投影領域の外郭から外側へ外れた位置に配置されていることを特徴としている。なお、本実施例において、固定フレーム２および可動フレーム３の「垂直部分」とは浴槽側壁の側面と対向して配置される部分を意味ものとして用いられており、「水平部分」とは浴槽側壁の上面に対向して配置される部分を意味するものとして用いられている。
【００４６】
図３には、ホック５１ａの形状が鉤状である場合の側部グリップ５ａの概要図（ａ）および鉤状ホック５１ａの部分的拡大図（ｂ）が示されている。ここで「鉤状」とは、目的物へ引っ掛けるために先端部分５１１ａがＬ字型に曲げられた形状を意味する。また、図４には、鉤状ホック５１ａと係合する掛け孔３４ａを備えた可動フレーム３の概要図（ａ）および掛け孔３４ａの部分的拡大図（ｂ）が示されている。
【００４７】
図３に示される側部グリップ５ａは、手摺り１を浴槽側壁に固定した時、把手部分５５ａが浴槽側壁面と略平行に横に拡がったリング形状を有しており、把手部分５５ａの裏側（取付け側）には、側部グリップ５ａを可動フレーム３へ固定するためのホック５１ａと、ホック５１ａから離間した位置にネジ孔５２を備えている。
【００４８】
本実施例のようにホック５１ａの形状が鉤状である場合、ホック５１ａの先端部分５１１ａはスリット３４１ａからなる掛け孔３４ａの端部３４２ａに引っ掛かるようにＬ字型に曲げられており、掛け孔３４ａは、これに対応して鉤状ホック５１ａと略同一幅のスリット３４１ａを備えている。
【００４９】
そして、掛け孔３４ａが鉤状ホック５１ａと略同一幅のスリット３４１ａを備えることにより、鉤状ホック５１ａは、鉤状ホック５１ａを掛け孔３４ａのスリット３４１ａへ挿入しそしてスリット３４１ａの端部３４２ａへ移動させることにより、掛け孔３４ａと容易且つ確実に係合される。このため、鉤状ホック５１ａを備えた側部グリップ５ａの一の端（ホック５１ａ）は、左右のガタ付きが抑えられながら、掛け孔３４ａが形成された可動フレーム３の垂直部分３２へ容易且つ確実に固定される。また、鉤状ホック５１ａと略同一幅のスリット３４１ａは細長形状であるため、使用者が指などを掛け孔３４ａに挟み込む危険を排除する。なお、本実施例の説明で使用するところの「係合する」とは、ホック５１が、掛け孔３４から引き抜くことが不可能な状態に保持されることを意味する。
【００５０】
また、掛け孔３４ａは、外部よりホック５１ａを受け入れ、そしてホック５１ａと係合するという２つの役目を果たすものであるから、ホック５１ａと係合するために設けられた鉤状ホック５１ａと略同一幅のスリット３４１ａに加えて、さらに外部よりホック５１ａを受け入れ易くするために、スリット３４１ａと連結し且つホック５１ａより幅広の挿入開口３４３ａを含んでいる（図４（ｂ）参照）。
【００５１】
さらに、ホック５１ａの形状が鉤状である場合、ホック５１ａは曲げられているコーナー部５１２ａを有し、コーナー部５１２ａは内側表面（内形）５１３ａと外側表面（外形）５１４ａとを備える。ホック５１ａのコーナー部５１２ａの内側表面５１３ａは掛け孔３４ａの端部３４２ａへ係合させるためのものであるから、その形状は角形に曲げられている。一方、これに対しコーナー部５１２ａの外側表面５１４ａは掛け孔３４ａと係合させるためのものではなく、掛け孔３４ａと干渉した時でも円滑に掛け孔３４ａの中へ案内されなければならないものであるため、ホック５１ａのコーナー部５１２ａの外側表面５１４ａは曲面で構成されている（図３（ｂ）参照）。
【００５２】
図５には、ホック５１ｂの形状がギボシ状である場合の側部グリップ５ｂの概要図（ａ）およびギボシ状ホック５１ｂの部分的拡大図（ｂ）が示されている。ここで「ギボシ状」とは、橋の欄干の柱頭部を飾る宝珠のように、円筒形の頭部５１１ｂと、頭部５１１ｂより小さな径を有するネック部５１２ｂを備えた形状を意味する（図５（ｂ）参照）。また、図６には、ギボシ状ホック５１ｂと係合する掛け孔３４ｂを備えた可動フレーム３の概要図（ａ）および掛け孔３４ｂの部分的拡大図（ｂ）が示されている。
【００５３】
図５に示される側部グリップ５ｂは、手摺り１を浴槽側壁に固定した時、把手部分５５ｂが浴槽側壁面と略直交するように縦に拡がったリング形状を有しており、把手部分５５ｂの裏側（取付け側）には、側部グリップ５ａを可動フレーム３へ固定するためのホック５１ｂと、ホック５１ｂから離間した位置にネジ孔５２を備えている。
【００５４】
本実施例のようにホック５１ｂの形状がギボシ状である場合、掛け孔３４ｂは、ギボシ状のホック５１ｂの頭部５１１ｂを受け入れるためにホック５１ｂの頭部５１１ｂの外径より大きな挿入開口３４３ｂを備えている。一方、ギボシ状のホック５１ｂは、ホック５１ｂの頭部５１１ｂの外径より小さな径のネック部５１２ｂを含んでおり、ネック部５１２ｂを、ネック部５１２ｂと略同一幅のスリット３４１ｂの間に挿入することにより掛け孔３４ｂと係合される。このため、ホック５１ｂの形状がギボシ状である場合の掛け孔３４ｂは、先述のホック５１ａの形状が鉤状である場合と異なり、ホック５１ｂの頭部５１１ｂの外径より大きな挿入開口３４３ｂと、挿入開口３４３ｂから延びたホック５１ｂのネック部５１２ｂと略同一幅のスリット３４１ｂを含んでいる（図６（ｂ）参照）。
【００５５】
一方、本発明による実施例では、側部グリップ５（５ａ，５ｂ）は、ホック５１（５１ａ，５１ｂ）とは異なる他方の係止手段として、ホック５から離れた位置に、ネジ５３により側部グリップ５を可動フレーム３に固定するためのネジ孔５２が設けられている。このため、可動フレーム３の垂直部分３２には、側部グリップ５の取り付け部分に対応して、掛け孔３４（３４ａ，３４ｂ）と、掛け孔３４から離れた位置に、ネジ５３を通して側部グリップ５を可動フレーム３へ固定するための貫通孔３５が配設されている。また、可動フレーム３の垂直部分３２には、浴槽用手摺り１を浴槽側壁へ固定するための第２の押圧板３３が取り付けられている。
【００５６】
しかしながら、本発明による実施例では、可動フレーム３に設けられた貫通孔３５の開口面は、可動フレーム３の垂直部分３２へ投影される第２の押圧板３３の投影領域の外郭から外側へ外れた位置に配置されている（図１，２参照）。したがって、側部グリップ５を可動フレーム３に取り付ける時、可動フレーム３の貫通孔３５と整合させなければならない側部グリップ５に設けられたネジ孔５２の開口面も、可動フレーム３の垂直部分３２へ投影される第２の押圧板３３の投影領域の外郭から外側へ外れた位置に配置される。
【００５７】
このため、本実施例の浴槽用手摺り１では、側部グリップ５を可動フレーム３に対し取り付け及び／又は取り外す時、第２の押圧板３３が取り付けられている側から、第２の押圧板と干渉することなく、側部グリップ５を取り付け及び／又は取り外すためにネジ５３へ容易にアクセスすることができる。したがって、側部グリップ５の着脱時、可動フレーム３に取り付けられている第２の押圧板３３を取り外す必要がない。
【００５８】
すなわち、本実施例の浴槽用手摺り１は、側部グリップ５を可動フレーム３の垂直部分３２へ固定するための一方の係止手段として、スライドさせることにより係合可能となるホック５１を採用し、ホック５１から離れた位置には、他方の係止手段として、側部グリップ５を可動フレーム３に対して移動不可能に固定するネジ止め機構５２，５３，３５を採用している。
【００５９】
このため、側部グリップ５の一方の取り付け部分（ホック５１）は、第２の押圧板３３の大きさや取り付け位置とは関係なく、第２の押圧板３３が取り付けられている側の反対側から側部グリップ５のホック５１を可動フレーム３の掛け孔３４の中に挿入しスライドさせることにより、直接可動フレーム３の垂直部分３２に係合させることができる。一方、側部グリップの他方の取り付け部分（ネジ孔５２）は、第２の押圧板３３が取り付けられている側から、第２の押圧板３３と干渉することなく、ネジ５３により可動フレーム３の垂直部分３２に固定することができる。側部グリップ５をネジ止めした時、ホック５１は掛け孔３４と係合した位置から移動することができなくなるので、本実施例の浴槽用手摺１は、側部グリップ５の他方の取り付け部分（ネジ孔５２）のみを可動フレーム３へネジ止めすれば、側部グリップ５全体を可動フレーム３に確実かつ強固に固定することができる。
【００６０】
このように、本実施例の浴槽用手摺り１では、１つの側部グリップ５の中で、ホック５１と掛け孔３４という一の係止手段と、ネジ５３とネジ孔５２という、一の係止手段とは異なる他の係止手段を採用しているので、可動フレーム３の掛け孔３４は、可動フレーム３の垂直部分３２へ投影される第２の押圧板３３の投影領域の外郭から内側の重なり合う位置、すなわち第２の押圧板３３の背後の位置に配置されており、そして、他方の可動フレーム３上のネジ５３を通すための貫通孔３５の開口部のみが、可動フレーム３の垂直部分３２へ投影される第２の押圧板３３の投影領域の外郭から外側の位置、すなわち第２の押圧板３３の背後から外れた位置に配置されている。
【００６１】
このため、本実施例の浴槽用手摺り１では、側部グリップ５を固定するためのネジ５３と第２の押圧板３３との干渉を避けるために、第２の押圧板３３の縦方向の長さを必要以上に短くしたり、又は可動フレーム３の垂直部分３２の長さを必要以上に長くする必要がなくなる。特に、掛け孔３４の開口面を第２の押圧板３３の投影領域の外郭から内側へ重なり合う位置に配置しているので、第２の押圧板３３の上辺を可動フレーム３の水平部分３１直下まで近づけることができ（図２参照）、その結果、ネジ５３へのアクセスを可能にするための配置は可動フレーム３の垂直部分３２の下部のみを延長して達成されているので、可動フレーム３の不必要な長尺化を抑えることができ、全体としても浴槽用手摺り１がコンパクトに設計されている。
【００６２】
また、本実施例の浴槽用手摺り１では、側部グリップ５のネジ孔５２は、第２の押圧板３３が取り付けられている側からアクセスできるように配置されているため、側部グリップ５は、可動フレーム３との取り付け面以外に露出する開口部を設ける必要がなくなり、その結果、側部グリップ５の外観を損なったり、余分な孔の配設により側部グリップ５の実質的な強度低下を招くという不都合が回避されている。
【００６３】
なお、本実施例の浴槽用手摺り１において、ネジ５３を通すための貫通孔３５の開口部は、厳密な意味で開口部の全部が第２の押圧板３３の投影領域の外郭から外側の位置に配置されている必要はなく、開口部の一部が第２の押圧板３３の投影領域の外郭から外側の位置に配置されていればよい。図２を参照して理解されるように、第２の押圧板３３は、自在に首振を振ることができるように可動フレーム３から一定の間隔を開けて配置されるので、貫通孔３５の開口部の少なくとも一部が第２の押圧板３３の投影領域の外郭から外側の位置に外れていれば、ネジ５３を回すためのドライバーは、ネジ５３の軸に対し僅かに傾斜させることにより、第２の押圧板３３と干渉することなく十分にネジへアクセスすることができるからである（図１参照）。
【００６４】
また、本実施例の浴槽用手摺り１では、掛け孔３４は、同じ可動フレーム３の中で貫通孔３５より上側に配置されている。この配置であると、側部グリップ５を可動フレーム３に対し取り付け及び／又は取り外す時、側部グリップ５は、ネジ５３を外した状態においてもホック５１と掛け孔３４が係合することにより、可動フレーム３上から脱落することなく仮止めされた状態を保持することができ、側部グリップ５の着脱が極めて容易になるからである。
【００６５】
このように、本実施例の浴槽用手摺り１では、浴槽側壁へ配置される固定フレーム２と、固定フレーム２へスライド可能に取り付けられている可動フレーム３からなる浴槽用手摺り１において、浴槽用手摺り１の大型化を極力抑制しながら、把手部分５５ａ，５５ｂの強度を確保する目的で、側部グリップ５の固定は可動フレーム３の裏側からネジ５３などの係止手段を使って可動フレーム３の垂直部分３２へ固定するものであるが、側部グリップ５の取り付け取り外しは、第２の押圧板３３と干渉することなく容易に行うことができる。
【符号の説明】
【００６６】
１  ・・・・・・  浴槽用手摺り
２  ・・・・・・  固定フレーム
２１・・・・・・  水平部分
２２・・・・・・  垂直部分
２３・・・・・・  第１の押圧板
３  ・・・・・・  可動フレーム
３１・・・・・・  水平部分
３２・・・・・・  垂直部分
３３・・・・・・  第２の押圧板
３３１・・・・・  スペーサー
３４，３４ａ，３４ｂ・・・  掛け孔
３４１ａ，３４１ｂ・・・・  スリット
３４２ａ・・・・  端部
３４３ａ，３４３ｂ・・・・挿入開口
３５・・・・・・  貫通孔
３６・・・・・・  取付け孔
４  ・・・・・・  上部グリップ
５  ・・・・・・  側部グリップ
５１，５１ａ，５１ｂ・・・ホック
５１１ａ・・・・  先端部分
５１２ａ・・・・  コーナー部
５１３ａ・・・・  内側表面
５１４ａ・・・・  外側表面
５１１ｂ・・・・  頭部
５１２ｂ・・・・  ネック部
５２・・・・・・  ネジ孔（連結孔）
５３・・・・・・  ネジ（連結部材）
５４・・・・・・  取付けネジ
５５ａ，５５ｂ・・・把手部分
【図１】
0005955008.tif 000002
【図２】
0005955008.tif 000003
【図３】
0005955008.tif 000004
【図４】
0005955008.tif 000005
【図５】
0005955008.tif 000006
【図６】
0005955008.tif 000007